【手続補正書】
【提出日】平成17年7月11日(2005.7.11)
【手続補正１】
【補正対象書類名】明細書
【補正対象項目名】請求項５
【補正方法】変更
【補正の内容】
【請求項５】
前記端末は、さらに、
自身を一意に特定する第１の識別情報を保持する識別情報保持手段を備え、
前記バックアップ要求手段は、バックアップを要求する際に、さらに、前記第１の識別情報を送信し、
前記サーバは、さらに、
前記各端末の第１の識別情報を登録する識別情報登録手段を備え、
前記バックアップ手段は、前記判定の結果、前記バックアップ対象データが自身によって発行されたものであることに加え、前記受信したバックアップ要求が登録された第１の識別情報を有する端末からのものである場合にバックアップする
ことを特徴とする請求項１記載のバックアップ・リストアシステム。
【手続補正２】
【補正対象書類名】明細書
【補正対象項目名】請求項７
【補正方法】変更
【補正の内容】
【請求項７】
前記バックアップ手段は、前記バックアップ対象データから特定の内容を示すデータを抽出し、抽出されたデータをバックアップし、
前記リストア手段は、バックアップされたデータを前記バックアップ対象データのフォーマットに変換して復元させる
ことを特徴とする請求項６記載のバックアップ・リストアシステム。
【手続補正３】
【補正対象書類名】明細書
【補正対象項目名】請求項８
【補正方法】変更
【補正の内容】
【請求項８】
デジタル著作物であるコンテンツを利用する端末と、伝送路を介して前記コンテンツの前記端末における利用を管理するサーバとからなるシステムであって、
前記サーバは、
前記端末を使用するユーザが所有するコンテンツの利用権限に関する権利情報を記憶する権利情報記憶手段と、
前記ユーザからの要求に基づいて、当該ユーザが所有する利用権限の一部を示す権利情報であるライセンスチケットを生成し、前記端末に発行するライセンスチケット発行手段と、
前記端末からのバックアップ要求に係る利用権限が、自身によって発行されたライセンスチケットに基づくものであるか否かを判定する判定手段と、
判定の結果、自身によって発行されたライセンスチケットに基づく場合、当該ユーザのバックアップ要求時の所有に係る利用権限を示した権利情報を内部に保持するバックアップ手段とを備え、
前記端末は、
前記サーバから送信されてきた前記ライセンスチケットを蓄積するライセンスチケット蓄積手段と、
蓄積された前記各ライセンスチケットが示す利用権限に従って、前記コンテンツの利用を制御するコンテンツ利用制御手段と、
蓄積された前記ライセンスチケットに基づいて前記ユーザが現在所有する利用権限のバックアップを要求するバックアップ要求手段と
を備えることを特徴とするバックアップ・リストアシステム。
【手続補正４】
【補正対象書類名】明細書
【補正対象項目名】請求項１４
【補正方法】変更
【補正の内容】
【請求項１４】
前記端末は、さらに、
前記サーバに対し、バックアップされた利用権限の復元を要求する第２リストア要求手段を備え、
前記サーバの前記権利情報記憶手段は、前記ユーザが所有するコンテンツの利用権限の初期値を記憶しており、
前記サーバは、さらに、
各ユーザが所有する前記各端末を示した端末情報を記憶する端末情報記憶手段と、
前記端末情報に基づいて、バックアップ要求した前記端末のユーザを特定する第１ユーザ特定手段と、
リストア要求した前記端末のユーザを特定する第２ユーザ特定手段と、
前記第２ユーザ特定手段によって特定されたユーザと前記第１ユーザ特定手段によって特定されたユーザとが一致する場合に、前記権利情報記憶手段に記憶されている当該ユーザのコンテンツの利用権限を初期値に戻す第２リストア手段と
を備えることを特徴とする請求項８記載のバックアップ・リストアシステム。
【手続補正５】
【補正対象書類名】明細書
【補正対象項目名】請求項１５
【補正方法】変更
【補正の内容】
【請求項１５】
前記端末は、さらに、
自身がバックアップを要求する時又は前記サーバからの問い合わせに対し、蓄積されている前記各ライセンスチケットが示す利用権限を前記サーバに報告する蓄積権利報告手段を備え、
前記サーバは、さらに、
各ユーザが所有する前記各端末を示した端末情報を記憶する端末情報記憶手段と、
バックアップ要求を受けたときに、前記端末情報に基づいて、同一ユーザが所有する前記端末であって、バックアップ要求した端末以外の端末を特定する端末特定手段と、
前記端末特定手段によって特定された端末に対し、当該端末内に蓄積されている利用権限を問い合わせる問い合わせ手段とを備え、
前記バックアップ手段は、バックアップ要求した要求元の前記端末及び利用権限を問い合わせた端末から報告された利用権限と、前記権利情報記憶手段に記憶されている利用権限とを合算した利用権限を示す権利情報を保持する
ことを特徴とする請求項８記載のバックアップ・リストアシステム。
【手続補正６】
【補正対象書類名】明細書
【補正対象項目名】請求項２６
【補正方法】変更
【補正の内容】
【請求項２６】
前記サーバは、さらに、
前記各端末の第１の識別情報を登録する識別情報登録手段を備え、
前記バックアップ手段は、前記判定の結果、前記バックアップ対象データが自身によって発行されたものであることに加え、前記受信したバックアップ要求が登録された第１の識別情報を有する端末からのものである場合にバックアップする
ことを特徴とする請求項２５記載のサーバ。
【手続補正７】
【補正対象書類名】明細書
【補正対象項目名】請求項２８
【補正方法】変更
【補正の内容】
【請求項２８】
デジタル著作物であるコンテンツを利用する端末と、伝送路を介して前記コンテンツの前記端末における利用を管理するサーバとからなるコンテンツ配信システムのサーバであって、
前記端末を使用するユーザが所有するコンテンツの利用権限に関する権利情報を記憶する権利情報記憶手段と、
前記ユーザからの要求に基づいて、当該ユーザが所有する利用権限の一部を示す権利情報であるライセンスチケットを生成し、前記端末に発行するライセンスチケット発行手段と、
前記端末からのバックアップ要求に係る利用権限が、自身によって発行されたライセンスチケットに基づくものであるか否かを判定する判定手段と、
判定の結果、自身によって発行されたライセンスチケットに基づく場合、当該ユーザのバックアップ要求時の所有に係る利用権限を示した権利情報を内部に保持するバックアップ手段と
を備えることを特徴とする権利管理サーバ。
【手続補正８】
【補正対象書類名】明細書
【補正対象項目名】請求項３１
【補正方法】変更
【補正の内容】
【請求項３１】
デジタル著作物であるコンテンツを利用する端末と、伝送路を介して前記コンテンツの前記端末における利用を管理するサーバとからなるシステムにおいて、前記端末に保持されているデータを前記サーバがバックアップするバックアップ・リストア方法であって、
前記サーバにおいて、
前記端末を使用するユーザが所有するコンテンツの利用権限に関する権利情報をあらかじめ記憶手段に記憶しておき、前記ユーザからの要求に基づいて、当該ユーザが所有する利用権限の一部を示す権利情報であるライセンスチケットを生成し、前記端末に発行するライセンスチケット発行ステップと、
前記端末からのバックアップ要求に係る利用権限が、自身によって発行されたライセンスチケットに基づくものであるか否かを判定する判定ステップと、
判定の結果、自身によって発行されたライセンスチケットである場合、当該ユーザのバックアップ要求時の所有に係る利用権限を示した権利情報を内部に保持するバックアップステップとを含み、
前記端末において、
前記サーバから送信されてきた前記ライセンスチケットを蓄積するライセンスチケット蓄積ステップと、
蓄積された前記各ライセンスチケットが示す利用権限に従って、前記コンテンツの利用を制御するコンテンツ利用制御ステップと、
蓄積されているライセンスチケットに基づいて前記ユーザが現在所有する利用権限のバックアップを要求するバックアップ要求ステップと
を含むことを特徴とするバックアップ・リストア方法。
【手続補正９】
【補正対象書類名】明細書
【補正対象項目名】請求項３３
【補正方法】変更
【補正の内容】
【請求項３３】
デジタル著作物であるコンテンツを利用する端末と、伝送路を介して前記コンテンツの前記端末における利用を管理するサーバとからなるコンテンツ配信システムのサーバに用いられるプログラムであって、
コンピュータを、
前記端末を使用するユーザが所有するコンテンツの利用権限に関する権利情報を記憶する権利情報記憶手段と、
前記ユーザからの要求に基づいて、当該ユーザが所有する利用権限の一部を示す権利情報であるライセンスチケットを生成し、前記端末に発行するライセンスチケット発行手段と、
前記端末からのバックアップ要求に係る利用権限が、自身によって発行されたライセンスチケットに基づくものであるか否かを判定する判定手段と、
判定の結果、自身によって発行されたライセンスチケットに基づく場合、当該ユーザのバックアップ要求時の所有に係る利用権限を示した権利情報を内部に保持するバックアップ手段
として機能させるプログラム。
【手続補正１０】
【補正対象書類名】明細書
【補正対象項目名】図５
【補正方法】変更
【補正の内容】
【図５】
図１に示された権利データ管理部が管理するバックアップ管理テーブルのデータ構成を示す図である。
【手続補正１１】
【補正対象書類名】図面
【補正対象項目名】図９
【補正方法】変更
【補正の内容】
【図９】
2003288277.tif 000001
【手続補正１２】
【補正対象書類名】図面
【補正対象項目名】図１９
【補正方法】変更
【補正の内容】
【図１９】
2003288277.tif 000002
【手続補正１３】
【補正対象書類名】図面
【補正対象項目名】図２０
【補正方法】変更
【補正の内容】
【図２０】
2003288277.tif 000003